(57)【要約】      （修正有）【課題】従来の水筒以上に使用してもらう為に、外観的には従来の水筒を維持し、２種類の飲料を誰でも簡単に連結して、スマートに持ち運びでき、故障等のない単独・連結両用水筒。【解決手段】水筒底面に窪みを設け、連結ねじ部３を収納することで、外から見えなくし、ねじ部３も保護する。連結用カップリング５は、別携帯しないで済むよう、水筒カップ６内で注ぎ口外面に、固定用のねじを設け固定収納する。機械的な連結を使用しない事で、故障とか連結の緩み等のトラブルもなく、清掃も容易で製作も低コストである。本発案の連結緩みの調整は、カップリングと連結ねじ部に締めしろを作る事でクリア出来る。連結は、水筒１の連結ねじ部３に連結用カップリング５をねじ込む、次に水筒２の連結ねじ部４を、水筒１にねじ込んだカップリング５の反対側にねじ込み連結させる。【選択図】図３
0003136740.tif 000002
【実用新案登録請求の範囲】
【請求項１】
水筒１と水筒２の底面に窪みを設け、その内部に連結用ねじ部３を設ける、カップリング５を水筒１の連結用ねじ部３にねじ込む、次に水筒２の連結用ねじ部４を、水筒１にねじ込んだカップリング５の片方にねじ込み、連結させる連結水筒。
【請求項２】
水筒の底面に、独立した連結用装置８を取り付ける事で連結させる。後は請求項１に準じる。
【請求項３】
連結タイプの水筒同士を連結させる為の、カップリング５を別に携帯せずに済むよう、水筒のカップ６内、飲み口の外面に固定用のねじ７を設け、カップリング５をねじ込み固定する、又注ぎ込み口から飲料水の滴がもれる為、ゴムとかセルロイドのような素材の、傘状のパッキン１０を、注ぎ口に取り外し可能な程度の締め付けをもって、カップリング５を少し押さえ込む様に取り付ける。
【考案の詳細な説明】
【技術分野】
【０００１】
本考案は、個々の水筒は従来通りの使い方で使用し、必要に応じて２本の水筒をスマートに連結して持ち運びできる単独・連結両用水筒に関するものです。                  
【背景技術】
【０００２】
２種類の飲料を、冷たい又は暖かい飲料を持ち運びするのには、それぞれ複数本の水筒を持つか、袋等に入れて携帯しなくては成らなかった。
【０００３】
従来の水筒と外観的にも使い方も変わることなく、連結の為の装置を別携帯しなくてすむ、スマートな連結水筒が未だ市販されていないことから考案しました。
【特許文献１】特開平１０−１１８号公報
【非特許文献１】平−１３９７３５号公報
【考案の開示】
【考案が解決しようとする課題】
【０００４】
解決しようとする問題点は、連結してない状態でもそれぞれの水筒を、従来の水筒のように抵抗なく携帯使用できるよう、連結装置を見えなくするか、連結する為のカップリングを別個携帯せずにすむのか、連結の方法がシンプルで故障し難く清掃も容易で、軽量且つ低コストで作成できるかが課題である。
【課題を解決するための手段】
【０００５】
本考案は、実際に使用してもら得るよう、従来の水筒と外観的に変わらないようにする為に、水筒底面に、連結ねじ部を隠蔽する為の窪みを設け収納する。連結する為のカップリングは、水筒カップ内部注ぎ口の外側に、固定用のねじを設け収納する事で外観的にはクリアできた。結合方法も機械的な方法だとスペースも要るし重さもかかる、塵などによるトラブルとか結合部の緩みが考えられる、又掃除も面倒でコストも掛かるなどから、ねじによる結合方法を使用した。
【考案の効果】
【０００６】
家庭に容量の異なる連結水筒を複数本準備すれば、従来の様な使い方はもちろん、１連結により１本の水筒で２種類の又温度の異なる飲料をもち運びできるようになった。組み合わせを替えることで飲料の内容により量の調整も可能になった。逆に単体での容量の大きい水筒は１リットルと０．３リットルとか、０．７リットルと０．５リットルの連結により不要になり、無駄を省ける。
【考案を実施するための最良の形態】
【０００７】
異なる量のこの連結水筒を複数本準備していれば、連結することで用途に応じていろんな飲料の組み合わせが可能になり、量的にも調整ができ無駄なく、おしゃれに持ち運びできる。
【実施例１】
【０００８】
図１は、考案した連結水筒１・水筒２の底面に、連結用ねじ部３を外から見えないように、水筒事態に窪みを設け隠蔽する。
【０００９】
図２は、水筒本体と別に連結装置８として、水筒底面にセットする。
【００１０】
図３は、連結用水筒１のねじ部３に、カップリング５をねじ込み、次にカップリング４の片方に連結水筒２のねじ部４をねじ込みセットした図、及びカップリングと連結ねじ部との詳細図。
【００１１】
図４は、連結用のカップリング５を、水筒のカップ６内で注ぎ口の外面に、固定する為のねじ７を設けて固定収納する状態図。及び外観上従来の水筒と変わらない比較図。
【産業上の利用可能性】
【００１２】
本考案は、従来の水筒と同様何ら変わることなく使用できる事が１番の特徴で、尚且つ簡単に、そしてスマートな形で連結する事ができる。
【００１３】
容量の異なるこのタイプの水筒を複数本準備することで、以前では出来なかった２種類の飲料を、組み合わせを変え連結する事で、用途に合った量・温度の異なる飲料を携帯できる。
【００１４】
維持面からも、結合ねじ部が水筒外面から隠蔽されているので、故障・破損がなく汚れ難いし掃除もし易い。結合部の緩みも締めしろ９を作ることで対処できる。軽量で低コスト
【００１５】
連結状態での水筒が、従来の1本の水筒と位置づける事で、多様なデザインの水筒が考えられ今迄の水筒のイメージが変わる。  
【図面の簡単な説明】
【００１６】
【図１】水筒底面を加工する形で、連結ねじ部を設ける図である。（実施例１）
【図２】水筒底面に、別に連結装置として連結ねじを設ける図である。（実施例２）
【図３】連結水筒１と２の連結状態及びカップリング取付詳細図である（実施例３）
【図４】連結カップリングの水筒カップ内に収納詳細及び外観比較図である。（実施例４）
【図５】連結カップリング５を水筒カップ６内にする図である。
【図６】水筒１と水筒２を連結した図である。
【符号の説明】
【００１７】
１    連結水筒１
２    連結水筒２
３    連結水筒１連結ねじ部    
４    連結水筒２連結ねじ部
５    連結用カップリング
６    水筒カップ
７    連結用カップリング固定用ねじ部
８    分割タイプ連結装置
９    連結緩み調整締めしろ
１０  漏れ止め用傘状パッキン
【図１】
0003136740.tif 000003
【図２】
0003136740.tif 000004
【図３】
0003136740.tif 000005
【図４】
0003136740.tif 000006
【図５】
0003136740.tif 000007
【図６】
0003136740.tif 000008
【手続補正書】
【提出日】平成19年9月4日(2007.9.4)
【手続補正１】
【補正対象書類名】実用新案登録請求の範囲
【補正対象項目名】請求項２
【補正方法】変更
【補正の内容】
【請求項２】
水筒の底面に、独立した連結用装置８を取り付ける事で連結させることを特徴とする請求項１に記載の連結水筒。
【手続補正２】
【補正対象書類名】実用新案登録請求の範囲
【補正対象項目名】請求項３
【補正方法】変更
【補正の内容】
【請求項３】
連結タイプの水筒同士を連結させる為の、カップリング５を別に携帯せずに済むよう、水筒のカップ６内、飲み口の外面に固定用のねじ７を設け、カップリング５をねじ込み固定する、又注ぎ込み口から飲料水の滴がもれる為、ゴムとかセルロイドのような素材の、傘状のパッキン１０を、注ぎ口に取り外し可能な程度の締め付けをもって、カップリング５を少し押さえ込む様に取り付ける連結水筒。